(57)【要約】      （修正有）【課題】マスクをしたままゴルフやダンスなどをしても呼吸しやすく、息で眼鏡レンズを曇らせることがなく快適に運動することができ、安全運転にもつながり、マスク下部のみを持ち上げ操作するだけで極めて容易に飲食をすることができるマスクを提供する。【解決手段】マスクは、外マスク体１と内マスク体１０および装着手段２０とを有し、外マスク体は、通気性を有する生地を用いて横長矩形状に形成され、その上端辺部５は鼻および両頬の表側に添接可能で、その左右側辺部分には装着手段が接続されてなる外上部２と、外上部の下端辺から下向きに延設状をなして一体に垂下すべく矩形あるいはＵ字状などの横長状に形成された外下部３とを一面状をなすように備え、内マスク体は、通気性を有する生地を用いて矩形あるいはＵ字状などの横長状に形成され、その上端辺は鼻下と両頬の表側に添接可能で、下端辺は外マスク体の下端辺の内側に垂下して対応する。【選択図】図１
0003232662.tif 000002
【実用新案登録請求の範囲】
【請求項１】
外マスク体と内マスク体および装着手段とを有し、外マスク体は、通気性を有する生地を用いて横長矩形状に形成されその上端辺は鼻および両頬の表側に添接可能なものとされるとともにその左右側辺部分には前記装着手段が接続されてなる外上部と、前記外上部の下端辺から下向きに延設状をなして一体に垂下すべく矩形あるいはＵ字状などの横長状に形成された外下部とを一面状をなすように備えたものとされ、内マスク体は、通気性を有する生地を用いて矩形あるいはＵ字状などの横長状に形成されその上端辺は鼻下と両頬の表側に添接可能なものとされ下端辺は前記外マスク体の下端辺の内側に垂下して対応するものとされているマスク。
【請求項２】
請求項１に記載のものにおいて、外マスク体は多孔生地により形成されているマスク。
【考案の詳細な説明】
【技術分野】
【０００１】  本考案は、マスクに関する。
【背景技術】
【０００２】  日本を含む世界は現在、新型コロナウイルスによる禍の中にあり、そのウイルスによる感染を防ぐため、人々はマスクを常用することにより自他共にウイルスの侵入防止が図られるように努力している。
そうした対策に有効なマスクが必要になるが、一般的なマスクとしては、天然繊維・化学繊維での織編物または不織布などを生地材として用いて、それをガーゼタイプが主流である平面タイプの平型や、不織布タイプが主流であるプリーツ型、それに顔のラインに添った立体型などに形成したものが周知のものとして使用されている。
【先行技術文献】
【特許文献】
【０００３】
【特許文献１】
【考案の概要】
【考案が解決しようとする課題】
【０００４】  これらマスクでは、マスク内空間に出た息が鼻横に作られる隙間を通じて上向きに抜け出しやすくなるためその出た蒸気によって眼鏡レンズが曇り勝ちになることもあったし、また、こうした一般タイプのマスクでは付けたままで飲食することができないため、飲食をする場合には、マスクを外したりあるいは上げ・下げして口を出すようにする必要があったが、その際取り外したマスクをいずれかの場所に仮置きしたりバッグなどに仕舞っておくという面倒さがあるだけでなくテーブル上に置き忘れたりすることもあり、またマスクを上に持ち上げるようにするとマスクの上の部分までがずれ上がったり、マスクを下へずらすようにすると食事に伴いマスクが汚れたりするなどの不利不都合もあった。
さらに、前記した一般マスクを付けて、例えば、合唱、カラオケ、散歩やトレーニング、ゴルフ、ダンスをした場合にあっては多少息が弾むことになるが、そうした場合、上記した一般型マスクでは全体が覆い被さっているため、息の出し入れが多少困難になって場合によっては息苦しさを招くようなこともあった。【０００５】  本考案は、こうした問題を解決しようとするもので、マスクをしたままゴルフやダンスなどをしても全体的に吸排ルートが開放的であるので呼吸しやすく、しかも吐き出す息が下方および前方に逃げるようになっているので息で眼鏡レンズを曇らせるようなことがなくて快適に運動をすることができるだけでなく、安全運転にもつながり、さらにマスクをかけたままマスク下部のみを持ち上げ操作するだけでマスクを外したりずらせたりすることなく極めて容易に飲食をすることができるようにしたマスクを提供することを目的とする。
【課題を解決するための手段】
【０００６】  本考案は上記目的を達成するため、請求項１に記載の考案は、外マスク体と内マスク体および装着手段とを有し、外マスク体は、通気性を有する生地を用いて横長矩形状に形成されその上端辺は鼻および両頬の表側に添接可能なものとされるとともにその左右側辺部分には前記装着手段が接続されてなる外上部と、前記外上部の下端辺から下向きに延設状をなして一体に垂下すべく矩形あるいはＵ字状などの横長状に形成された外下部とを一面状をなすように備えたものとされ、内マスク体は、通気性を有する生地を用いて矩形あるいはＵ字状などの横長状に形成されその上端辺は鼻下と両頬の表側に添接可能なものとされ下端辺は前記外マスク体の下端辺の内側に垂下して対応するものとされている。
請求項２に記載の考案は、請求項１に記載のものにおいて、外マスク体は多孔生地により形成されている。多孔とは網目状のものも含まれる。
【考案の効果】
【０００７】  上述したように請求項１に記載の考案は、外マスク体と内マスク体および装着手段とを有し、外マスク体は、通気性を有する生地を用いて横長矩形状に形成されその上端辺は鼻および両頬の表側に添接可能なものとされるとともにその左右側辺部分には前記装着手段が接続されてなる外上部と、前記外上部の下端辺から下向きに延設状をなして一体に垂下すべく矩形あるいはＵ字状などの横長状に形成された外下部とを一面状をなすように備えたものとされ、内マスク体は、通気性を有する生地を用いて矩形あるいはＵ字状などの横長状に形成されその上端辺は鼻下と両頬の表側に添接可能なものとされ下端辺は前記外マスク体の下端辺の内側に垂下して対応するものとされているので、マスクをしたままゴルフやダンスなどをしても全体的に吸排ルートが開放的であるので呼吸しやすく、しかも吐き出す息が下方および前方に逃げるようになっているので息で眼鏡レンズを曇らせるようなことがなくて快適に運動をすることができるだけでなく、安全運転にもつながり、さらにマスクをかけたままマスク下部のみを持ち上げ操作するだけでマスクを外したりずらせたりすることなく極めて容易に飲食をすることができるようにしたマスクを提供することができる。
【図面の簡単な説明】
【０００８】
【図１】  本考案の一実施形態であるマスク装着時の様子を示す斜め正面図。
【図２】  図１のＩＩ−ＩＩ線断面図。
【図３】  図１のマスクの非装着時の背面図。
【図４】  図１のマスクの飲食時の様子を示す斜め正面図。
【図５】  他の使用態様を示す斜め正面図。
【考案を実施するための形態】
【０００９】  以下、本考案であるマスクの一実施形態を図１ないし図３に基づいて説明する。
これらの図において、１は外マスク体、１０は内マスク体、２０は装着手段を示す。外マスク体１は、通気性の高い網目（微細多孔状）を有する生地を用いて形成され、外上部２と外下部３よりなる。Ｌはその上下境界ラインで現物に付されているものではなく仮想のものである。
外上部２は、横長矩形状（縦７０ｍｍ×横２１０ｍｍ）をしたもので、縦向きの側辺部分４は袋状をなしてゴム紐である装着手段２０を掛装してある。装着手段２０は長さ調節可能なようにスライド片２１を備えている。外上部２の上端辺部５も袋状をなすもので、その中にはゴム紐６が装入されて、前記２１０ｍｍを自然長として２８０ｍｍ程度にまで伸び得るようになっている。この外上部２が鼻及び両頬の表側に添接する部分である。
【００１０】  外下部３は外上部２の下側に一体的に延設状をなして垂下した部分であり、横幅が２２０ｍｍで縦は７０ｍｍ程度の下端がＵ字状をなす網目部分からなっている。この外下部３は横長状にしてもよい。
【００１１】  内マスク体１０は、内側を網目状の裏地材ｂとし外側を薄手で通常の通気性人工マスク地である表地材ａとした内外２枚合わせのものとされ、その外周全体が縫製されたものになっている。内マスク体１０は、内上部１３と内下部１４で略Ｕ字形に形成され、内上部１３は横長矩形状で縦が２０ｍｍで横が２２０ｍｍ程度をなす部分になっており、内下部１４は前記外下部３と略同じ形状寸法（縦７０ｍｍで横幅２２０ｍｍ）をなすものになっている。
【００１２】  内上部１３の上端は袋状のまつり縫いになっており、その中には細いゴム紐１５が通されて鼻下と両頬の表側に内上部１３の上端が添接するようになっている一方、内マスク体１０の上端を除く全体は図２のように鼻下から口から顎下にかけて少しの通隙が存するようになっている。内マスク体１０は、外マスク体１の外上部２中段位置内方に内上部１３が対応し内下部１４と外下部３とが前後に離間して対応する関係になっている。
【００１３】  尚、内マスク体１０は、図２の右欄に示すように、下端部を面ファスナやスライドファスナ・マグネットなどの開閉手段１７などによって開閉式にしたものにして中にハンカチなどの所要用品１８などを入れて必要時に使用できるようにしてもよい。内下部１４はＵ字形以外に横長矩形状にしてもよい。
内マスク体１０は２枚合わせ以外に１枚ものにしてもよい。
前記装着手段２０はゴム紐以外に伸び縮みの少ない通常の細紐を使用してもよい。
【００１４】  マスクは左右の装着手段２０である耳掛けを耳に引っ掛けるようにすることで図１および図２のように付けられる。内マスク体１０はゴム紐１６が引張作用することで、その上端が鼻下から両頬に掛けて添接するようにしてその下部は下開放状をなすように垂れ下がった形にされる。外マスク体１は、装着手段２０でゴム紐６が引っ張られることでその上端辺部５が鼻上から両頬上部分に添接されるようにされる一方、その下部全体は鼻下から口前方にかけて隙間を存するように垂れ下がった形にセットされる。図２のＸは内側開放空間、Ｙは外側開放空間である。
【００１５】  図１および図２に示すようにマスクをしたままゴルフやダンスなどの多少の運動をしてもマスクには内側開放空間Ｘや外側開放空間Ｙがあり内マスク体１０が存在しても全体的にマスクが鼻や口などから離れた開放状況になっておりしかも外マスク体１が網目状で吸排作用が極めて楽に行える状況下にあるので、非常に呼吸しやすく、しかも鼻呼吸で出た内気は前面を覆う外マスク体１が網目状をなしているのでそのまま前方へ吹き出され、従って、外マスク体１の上端鼻横隙間からそれら内気である蒸気が吹き出すおそれがなく、たとえ、眼鏡を掛けてマスクをした人でもダンスなどに伴って眼鏡のレンズが曇るおそれがない。特に、このマスクをして車を運転した場合は眼鏡レンズが曇らないことから運転時の安全度が向上する。また、口呼吸する人がこのマスクを着用して運動をおこなった場合でも、口からの息は上向きというより内側開放空間Ｘを通じて下向きあるいは横方向に流れて上方である鼻横隙間を通じて眼鏡レンズを曇らせるに至るおそれはなくなる。一方、このマスクは２層式であるので、比較的密な環境になりがちなジョギングやダンスなどにおいてもウイルス感染などのおそれが低減する。
【００１６】  さらに図４に示すように、外マスク体１も内マスク体１０も共にその下部が自由な垂れ下がり状をなしているので、マスクをかけたまま片方の手指で内外マスク体１０，１の下部を摘まんで持ち上げ操作するだけで口が開放的になり、マスクを外したりずらせたりすることなく極めて容易にもう片方の手指を使って飲食をすることができるようになる。
図５に示すように、内マスク体１０を鼻高さまで持ち上げた形にセットするようにすれば鼻口の前方が内外二重マスクで覆われた形になるので、感染予防をより安全に確保したいときなどに有効である。
【００１７】  尚、前記マスクは、洗って何回も使えるものになっている。
前記装着手段２０は、耳掛け式になっていたが、耳に掛けずに、マスクの左右から耳後ろまで回される一対で脱着式の装着手段や耳後ろを通るような単一本式のバンド・紐などの装着手段によってもよい。
前記外マスク体１は、多孔状とされているが、この多孔には通常通気質のマスク生地（一般織編製品・不織布も含む）のように極く微細孔を使用した生地も通気質であることからここに含む。
前記内マスク体１０は、外マスク体１に対し縫製されていたが、外マスク体１に対し面ファスナーなどで脱着可能にして例えば、微細孔質の１枚ものにしてより呼吸しやすいマスクを構成できるようにしてもよい。
【符号の説明】
【００１８】  １…外マスク体  ２…外上部  ３…外上部  ４…側辺部分  ５…上端辺部  １０…内マスク体  １３…内上部  １４…内下部  ２０…装着手段。
【図１】
0003232662.tif 000003
【図２】
0003232662.tif 000004
【図３】
0003232662.tif 000005
【図４】
0003232662.tif 000006
【図５】
0003232662.tif 000007
【手続補正書】
【提出日】令和3年2月24日(2021.2.24)
【手続補正１】
【補正対象書類名】実用新案登録請求の範囲
【補正対象項目名】請求項２
【補正方法】変更
【補正の内容】
【請求項２】
請求項１に記載のマスクにおいて、外マスク体は多孔生地により形成されているマスク。